(57)【要約】【課題】ＶＯＤ映像とテレビジョン放送の両用のテレビジョン装置を使用しているときに、有償のＶＯＤ映像再生中に電源のＯＦＦの操作をし、思わぬ不利益をこうむることがある。【解決手段】ＶＯＤ対応のテレビジョン装置で、ＶＯＤ映像再生中に、リモコンで電源ＯＦＦの操作がされたときに、複数回、所定の間隔内に操作されたときにのみ、電源のＯＦＦをするようにする。そのときに、ＶＯＤ映像再生中は、確認の画面を表示する。また、起動時には、前の電源ＯＦＦ時から規定時間以上たっているときには、放送映像を表示し、前の電源ＯＦＦ時から規定時間たっていないときには、前に視聴していたＶＯＤ映像を視聴するか否かの問合せ画面を表示して、視聴者に、ＶＯＤ映像を視聴するかを問い合わせる。【選択図】        図４
2008113232.tif 000002
【特許請求の範囲】
【請求項１】
ネットワークを介して、要求に応じて配信される映像を再生し、かつ、放送される映像を受信して、映像を表示する配信再生可能なテレビジョン装置であって、
前記再生された映像又は受信した映像を表示する表示部と、
当該テレビジョン装置に電力を供給する電源と、
前記電源のＯＮ／ＯＦＦを指示する電源ＯＮ／ＯＦＦ指示手段と、
前記電源のＯＮ／ＯＦＦを制御する電源ＯＮ／ＯＦＦ制御手段と、
前記電源のＯＦＦ時において前記表示部に表示された映像の種別と、前記電源のＯＦＦ時の時刻とを記憶する電源ＯＦＦ時状態記憶手段とを有し、
前記ネットワークを介して行った要求に応じて配信された映像を再生して前記表示部上に表示中に、前記電源ＯＮ／ＯＦＦ指示手段により前記電源のＯＦＦの指示がされた場合、所定の条件を満たした時に前記電源のＯＦＦを実行することを特徴とするテレビジョン装置。
【請求項２】
前記請求項１に記載したテレビジョン装置において、前記所定の条件とは、前記電源ＯＮ／ＯＦＦ指示手段による前記電源のＯＦＦの指示が所定の複数回数行われた時に、前記電源をＯＦＦすることを特徴とするテレビジョン装置。
【請求項３】
前記請求項２に記載したテレビジョン装置において、前記所定の条件は、更に、前記電源ＯＦＦ時状態記憶手段に記憶された前の電源ＯＦＦ時から得られる経過時間が所定時間よりも小さいときに、前記電源をＯＦＦすることを特徴とするテレビジョン装置。
【請求項４】
前記請求項１に記載したテレビジョン装置において、前記ネットワークを介して行った要求に応じて配信された映像を再生して前記表示部上に表示中に、前記電源ＯＮ／ＯＦＦ指示手段により前記電源のＯＦＦの指示がされた場合、視聴者に電源ＯＦＦの確認をする警告画面を表示することを特徴とするテレビジョン装置。
【請求項５】
ネットワークを介して、要求に応じて配信される映像を再生し、かつ、放送される映像を受信して、映像を表示する配信再生可能なテレビジョン装置であって、
前記再生された映像又は受信した映像を表示する表示部と、
当該テレビジョン装置に電力を供給する電源と、
前記電源のＯＮ／ＯＦＦを指示する電源ＯＮ／ＯＦＦ指示手段と、
前記電源のＯＮ／ＯＦＦを制御する電源ＯＮ／ＯＦＦ制御手段と、
前記電源のＯＦＦ時において前記表示部に表示された映像の種別と、前記電源のＯＦＦ時の時刻とを記憶する電源ＯＦＦ時状態記憶手段とを有し、
前記電源をＯＮする際、前記電源ＯＦＦ時状態記憶手段に記憶された前の電源ＯＦＦ時の映像種別が、前記ネットワークを介して行った要求に応じて配信された映像であり、かつ、前記電源ＯＦＦ時状態記憶手段に記憶された電源ＯＦＦ時の時刻から所定の時間が経過していないことを判断した時に、前記ネットワークを介して行った要求に応じて配信された映像を表示することを特徴とするテレビジョン装置。
【請求項６】
ネットワークを介して、要求に応じて配信される映像を再生し、かつ、放送される映像を受信して、映像を表示する配信再生可能なテレビジョン装置であって、
前記再生された映像又は受信した映像を表示する表示部と、
当該テレビジョン装置に電力を供給する電源と、
前記電源のＯＮ／ＯＦＦを指示する電源ＯＮ／ＯＦＦ指示手段と、
前記電源のＯＮ／ＯＦＦを制御する電源ＯＮ／ＯＦＦ制御手段と、
前記電源のＯＦＦ時において前記表示部に表示された映像の種別と、前記電源のＯＦＦ時の時刻とを記憶する電源ＯＦＦ時状態記憶手段とを有し、
前記電源をＯＮする際、前記電源ＯＦＦ時状態記憶手段に記憶された前の電源ＯＦＦ時の映像種別が、前記ネットワークを介して行った要求に応じて配信された映像であり、かつ、前記電源ＯＦＦ時状態記憶手段に記憶された電源ＯＦＦ時の時刻から所定の時間が経過していないことを判断した時に、視聴者に、前記ネットワークを介して行った要求に応じて配信された映像の再生に関する問合わせる画面を表示することを特徴とするテレビジョン装置。
【請求項７】
ネットワークを介して、要求に応じて配信される映像を再生し、かつ、放送される映像を受信して、映像を表示する配信再生可能なテレビジョン装置であって、
前記再生された映像又は受信した映像を表示する表示部と、
当該テレビジョン装置に電力を供給する電源と、
前記電源のＯＮ／ＯＦＦを指示する電源ＯＮ／ＯＦＦ指示手段と、
前記電源のＯＮ／ＯＦＦを制御する電源ＯＮ／ＯＦＦ制御手段と、
前記電源のＯＦＦ時において前記表示部に表示された映像の種別と、前記電源のＯＦＦ時の時刻とを記憶する電源ＯＦＦ時状態記憶手段とを有し、更に、
映像表示中のチャンネルの切り替え間隔を計測するチャンネル切替間隔計測手段とを有し、
前記チャンネル切替間隔計測手段により、所定の時間内にチャンネルが切り替えられたと判断された時に、視聴者に、前記ネットワークを介して行った要求に応じて配信された映像の再生に関する問合わせる画面を表示することを特徴とするテレビジョン装置。
【請求項８】
ネットワークを介して、要求に応じて配信される映像を受信し、再生可能な映像受信装置であって、
前記受信した映像を表示するための表示用機器に出力する映像出力部と、
当該装置に電力を供給する電源と、
前記電源のＯＮ／ＯＦＦを指示する電源ＯＮ／ＯＦＦ指示手段と、
前記電源のＯＮ／ＯＦＦを制御する電源ＯＮ／ＯＦＦ制御手段と、
前記電源のＯＦＦ時において前記映像出力部に出力された映像の種別と、前記電源のＯＦＦ時の時刻とを記憶する電源ＯＦＦ時状態記憶手段とを有し、
前記ネットワークを介して行った要求に応じて配信された映像を再生して前記映像出力部に出力中に、前記電源ＯＮ／ＯＦＦ指示手段により前記電源のＯＦＦの指示がされた場合、所定の条件を満たした時に前記電源のＯＦＦを実行することを特徴とする映像受信装置。
【請求項９】
前記請求項８に記載した映像受信装置において、前記所定の条件とは、前記電源ＯＮ／ＯＦＦ指示手段による前記電源のＯＦＦの指示が所定の複数回数行われた時に、前記電源をＯＦＦすることを特徴とする映像受信装置。
【請求項１０】
前記請求項９に記載した映像受信装置において、前記所定の条件は、更に、前記電源ＯＦＦ時状態記憶手段に記憶された前の電源ＯＦＦ時から得られる経過時間が所定時間よりも小さいときに、前記電源をＯＦＦすることを特徴とする映像受信装置。
【請求項１１】
前記請求項８に記載した映像受信装置において、前記ネットワークを介して行った要求に応じて配信された映像を再生して前記映像出力部に出力中に、前記電源ＯＮ／ＯＦＦ指示手段により前記電源のＯＦＦの指示がされた場合、視聴者に電源ＯＦＦの確認をする警告画面を前記映像出力部に出力することを特徴とする映像受信装置。
【発明の詳細な説明】
【技術分野】
【０００１】
本発明は、映像及び音声（以下、単に「映像」と言う）を表示可能なテレビジョン装置であり、通常の放送と共に、ネットワークを介して視聴者からの要求に応じて配信される映像（以下、「要求映像配信（ＶＯＤ：Video On Demand）」）の両者を受信して映像を表示する配信再生可能なテレビジョン装置に関し、特に、前記両者の特性に応じた好適なユーザインタフェースを提供する配信再生可能なテレビジョン装置に関する。
【背景技術】
【０００２】
近年、テレビジョン放送においては、デジタルテレビ放送による動画データの多チャンネル放送化やネットワークの広帯域化により、多くの動画データが取得あるいは視聴することが可能となってきている。その結果、視聴可能な動画データが氾濫するといった状況になってきており、例えば、以下の特許文献１によれば、短時間で内容を理解する仕組みや、本当に視聴したい動画データを探し出せるようにすることを目的として、動画データにおける重要なシーンを表示可能な技術が紹介されている。
【０００３】
その一方、近年、ネットワークを利用した通信においては、大容量のブロードバンド回線の普及により、放送とインターネットの融合化が進んでおり、これに伴って、例えば、前記ネットワークを介して、ユーザが視聴したい映像をブラウザから配信し、即ち、ユーザの要求に応じて視聴することが出来る要求映像配信が注目を集めている。
【０００４】
【特許文献１】特開２００３−１５３１３９号公報
【発明の開示】
【発明が解決しようとする課題】
【０００５】
上述したように、種々の映像を受信して表示可能な従来のテレビジョン装置では、例えば、上記特許文献１により知られるように、受信した動画データの内容のストーリー性を失わずに、重要シーンを再生可能な動画再生技術等については既に提案されているが、しかしながら、上述したように、ユーザの要求に応じて視聴することが出来る要求映像配信が可能なテレビジョン装置、特に、通常の放送と共に、要求映像配信が可能なテレビジョン装置において、これら両者の特性に応じた好適なユーザインタフェースを備えた配信再生可能なテレビジョン装置については、未だ考慮されていなかった。
【０００６】
そこで、本発明では、上述した従来技術における問題点に鑑み、即ち、通常の放送と共に、要求映像配信が可能なテレビジョン装置であって、これら両者の特性に応じた好適なユーザインタフェースを備えた配信再生可能なテレビジョン装置を提供することを目的とする。
【０００７】
一般のテレビジョン放送は、通常、無料で提供されている。即ち、スポンサーとなる企業体が放送のための費用を負担し、その代償として、当該スポンサーの商品やサービスに関する広告等を、提供する番組に挟み込むというビジネスモデルが一般的である。
【０００８】
これに対して、要求映像配信（ＶＯＤ）の場合には、通常、ユーザが好きな番組を選択して視聴するため、有償で番組の提供を受けることとなる。なお、その際、要求映像配信（ＶＯＤ）を受信し、それを視聴（以下、単に「ＶＯＤ視聴」と言う）している時に、例えば、視聴者がリモコンの誤操作などにより、意図せずに、電源をＯＦＦにするなどの事態が発生することが考えられる。かかる事態の発生によれば、視聴者は、有償で視聴していた番組を途中で中止することとなり、これにより、場合によっては途中まで視聴していた番組のどこまでを視聴したかがわからなくなったり、あるいは、番組を受信するために再度ネットワークに接続し直す必要が発生したりといった思わぬ不利益を被ることになる。
【０００９】
また、一方、ＶＯＤ視聴の途中で、ユーザが装置の電源をＯＦＦした場合においても、その後、再び電源を起動した際に、通常のテレビジョン放送の映像を表示することとした場合には、ユーザがリモコンを操作して再度ＶＯＤ視聴画面を表示させるなどの手間が増えてしまったり、あるいは、ユーザがＶＯＤ視聴の途中で視聴を中断したことを思い出せないこともあり、やはり、これにより、ユーザは思わぬ不利益を被ることになる。
【００１０】
即ち、本発明は、以上に述べた本発明者によって認識された、通常の放送と共に要求映像配信（ＶＯＤ）が可能なテレビジョン装置における問題点を解消し、特に、これら両者の特性に応じた好適なユーザインタフェースを備えた配信再生可能なテレビジョン装置を提供することを目的とする。より詳細には、通常の放送と共に要求映像配信（ＶＯＤ）の両者を受信可能なテレビジョン装置において、電源とそれに関連する表示画面の制御に関しており、視聴者に好適なユーザインタフェースを与えるものである。
【課題を解決するための手段】
【００１１】
上記の目的を達成するため、本発明によれば、まず、ネットワークを介して、要求に応じて配信される映像を再生し、かつ、放送される映像を受信して、映像を表示する配信再生可能なテレビジョン装置であって、前記再生された映像又は受信した映像を表示する表示部と、当該テレビジョン装置に電力を供給する電源と、前記電源のＯＮ／ＯＦＦを指示する電源ＯＮ／ＯＦＦ指示手段と、前記電源のＯＮ／ＯＦＦを制御する電源ＯＮ／ＯＦＦ制御手段と、前記電源のＯＦＦ時において前記表示部に表示された映像の種別と、前記電源のＯＦＦ時の時刻とを記憶する電源ＯＦＦ時状態記憶手段とを有し、前記ネットワークを介して行った要求に応じて配信された映像を再生して前記表示部上に表示中に、前記電源ＯＮ／ＯＦＦ指示手段により前記電源のＯＦＦの指示がされた場合、所定の条件を満たした時に前記電源のＯＦＦを実行するテレビジョン装置が提供される。
【００１２】
また、本発明によれば、前記に記載したテレビジョン装置において、前記所定の条件とは、前記電源ＯＮ／ＯＦＦ指示手段による前記電源のＯＦＦの指示が所定の複数回数行われた時に、前記電源をＯＦＦすることが好ましく、更に、前記電源ＯＦＦ時状態記憶手段に記憶された前の電源ＯＦＦ時から得られる経過時間が所定時間よりも小さいときに、前記電源をＯＦＦすることが好ましい。又は、前記ネットワークを介して行った要求に応じて配信された映像を再生して前記表示部上に表示中に、前記電源ＯＮ／ＯＦＦ指示手段により前記電源のＯＦＦの指示がされた場合、視聴者に電源ＯＦＦの確認をする警告画面を表示することが好ましい。
【００１３】
また、上記の目的を達成するため、本発明によれば、ネットワークを介して、要求に応じて配信される映像を再生し、かつ、放送される映像を受信して、映像を表示する配信再生可能なテレビジョン装置であって、前記再生された映像又は受信した映像を表示する表示部と、当該テレビジョン装置に電力を供給する電源と、前記電源のＯＮ／ＯＦＦを指示する電源ＯＮ／ＯＦＦ指示手段と、前記電源のＯＮ／ＯＦＦを制御する電源ＯＮ／ＯＦＦ制御手段と、前記電源のＯＦＦ時において前記表示部に表示された映像の種別と、前記電源のＯＦＦ時の時刻とを記憶する電源ＯＦＦ時状態記憶手段とを有し、前記電源をＯＮする際、前記電源ＯＦＦ時状態記憶手段に記憶された前の電源ＯＦＦ時の映像種別が、前記ネットワークを介して行った要求に応じて配信された映像であり、かつ、前記電源ＯＦＦ時状態記憶手段に記憶された電源ＯＦＦ時の時刻から所定の時間が経過していないことを判断した時に、前記ネットワークを介して行った要求に応じて配信された映像を表示するテレビジョン装置が提供される。
【００１４】
更に、本発明によれば、やはり上記の目的を達成するため、ネットワークを介して、要求に応じて配信される映像を再生し、かつ、放送される映像を受信して、映像を表示する配信再生可能なテレビジョン装置であって、前記再生された映像又は受信した映像を表示する表示部と、当該テレビジョン装置に電力を供給する電源と、前記電源のＯＮ／ＯＦＦを指示する電源ＯＮ／ＯＦＦ指示手段と、前記電源のＯＮ／ＯＦＦを制御する電源ＯＮ／ＯＦＦ制御手段と、前記電源のＯＦＦ時において前記表示部に表示された映像の種別と、前記電源のＯＦＦ時の時刻とを記憶する電源ＯＦＦ時状態記憶手段とを有し、前記電源をＯＮする際、前記電源ＯＦＦ時状態記憶手段に記憶された前の電源ＯＦＦ時の映像種別が、前記ネットワークを介して行った要求に応じて配信された映像であり、かつ、前記電源ＯＦＦ時状態記憶手段に記憶された電源ＯＦＦ時の時刻から所定の時間が経過していないことを判断した時に、視聴者に、前記ネットワークを介して行った要求に応じて配信された映像の再生に関する問合わせる画面を表示するテレビジョン装置が提供される。
【００１５】
加えて、本発明によれば、やはり上記の目的を達成するため、ネットワークを介して、要求に応じて配信される映像を再生し、かつ、放送される映像を受信して、映像を表示する配信再生可能なテレビジョン装置であって、前記再生された映像又は受信した映像を表示する表示部と、当該テレビジョン装置に電力を供給する電源と、前記電源のＯＮ／ＯＦＦを指示する電源ＯＮ／ＯＦＦ指示手段と、前記電源のＯＮ／ＯＦＦを制御する電源ＯＮ／ＯＦＦ制御手段と、前記電源のＯＦＦ時において前記表示部に表示された映像の種別と、前記電源のＯＦＦ時の時刻とを記憶する電源ＯＦＦ時状態記憶手段とを有し、更に、映像表示中のチャンネルの切り替え間隔を計測するチャンネル切替間隔計測手段とを有し、前記チャンネル切替間隔計測手段により、所定の時間内にチャンネルが切り替えられたと判断された時に、視聴者に、前記ネットワークを介して行った要求に応じて配信された映像の再生に関する問合わせる画面を表示するテレビジョン装置が提供される。
【発明の効果】
【００１６】
上述したように、本発明によれば、通常の放送の映像だけではなく、要求映像配信（ＶＯＤ）の映像を含め、これら両者を受信してその映像を再生するテレビジョン装置において、電源とそれに関連する表示画面の制御に関し、視聴者に好適なユーザインタフェースを提供することにより、使い勝手に優れたテレビジョン受信装置を提供することが可能になる。
【発明を実施するための最良の形態】
【００１７】
以下、本発明に係る一実施形態について、添付の図１〜図７を用いて説明する。
【００１８】
まず、図１は、本発明の一実施形態になる要求映像配信再生が可能なテレビジョン装置のシステム構成を示すシステム構成図であり、以下、この図１を用いて詳細に説明する。
【００１９】
この図にも示すように、本発明の一実施形態になる要求映像配信再生が可能なテレビジョン装置１は、その外部に表示部（スピーカ等の音声出力装置も含む）１１を備えており、また、その詳細は後にも説明するが、基本的には、アンテナ１２、１３からの受信信号が入力されるチューナ１４と、インターネットなどのＩＰネットワーク４からブロードバンド回線４１を介して配信される映像を受信するＶＯＤ受信部１５と、前記チューナ１４からの映像信号及び前記ＶＯＤ受信部１５からの映像信号の一方を選択して表示部１１へ供給するスイッチ部１６と、そして、Ｗｅｂブラウザ１７とを備えて構成されている。即ち、上記の構成により、テレビジョン装置１は、要求映像配信（ＶＯＤ）による映像と、地上波放送や衛星波放送など、通常の放送との両者を受信し、いずれか一方を選択して再生表示することが可能となっている。
【００２０】
例えば、要求映像配信（ＶＯＤ）による映像の場合には、図１に示されるように、テレビジョン装置１のコンテンツ配信サーバ２とポータルサーバ３より、インターネットなどのＩＰネットワーク４を介して、映像のストリーミングを受信する。この要求映像配信（ＶＯＤ）による映像は、大容量なストリーミングを流す必要があることから、使用される回線としては、例えば、光ファイバー回線やＡＤＳＬ（Asymmetric Digital Subscriber Line）回線など、所謂、ブロードバンド回線が望ましい。このときに、使われるプロトコルの一例としては、例えば、ＲＴＰ（Real-time Transport Protocol）である。一方、テレビジョン装置１が通常の放送を受信する場合には、地上波（アナログ、デジタル）の場合には、電波塔５、ＣＳ、ＢＳなどの衛星波の場合には、放送人工衛星６から、空中線を介して、アンテナにより受信する。そして、テレビジョン装置１では、要求映像配信（ＶＯＤ）によるストリーミングと、通常の放送によるチューナ１４からの映像とを、スイッチ部１６により切り替えて、表示部１１の画面上に表示する。また、要求映像配信（ＶＯＤ）の番組を選ぶときには、テレビジョン装置１は、ポータルサーバ３が提供するポータルサイトをＷｅｂブラウザ１７により表示させて、ユーザに対し、提供番組一覧の中から視聴を希望する番組を選択させる機能を有している。
【００２１】
次に、図２及び図３を用いて、本発明の一実施形態になる要求映像配信再生が可能なテレビジョン装置１の機能と構成について詳細に説明する。なお、図２は、当該テレビジョン装置１のハードウェア構成図であり、また、図３は、当該テレビジョン装置１の機能を表すブロック図である。
【００２２】
まず、図２に示されるように、要求映像配信再生が可能なテレビジョン装置１は、中央処理装置１０１、表示装置１０２（上記図１では、符号１１で示す）、主記憶装置１０３、チューナ部１０４（上記図１では、符号１４で示す）、入力装置１０５、音声出力装置１０６、ネットワークインタフェース部１０７、リモコンインタフェース部１０８、補助記憶インタフェース部１０９、補助記憶装置１９を備えており、これらは、バス１０を介して結合された形態となっている。即ち、各部は、バス１０により、相互にデータの送受信が可能なように構成されている。
【００２３】
中央処理装置１０１は、通常、マイクロプロセッサにより構成されており、主記憶装置１０３にロードされたデータを読み込み、プログラムを実行して、各部に対して、制御の指示を与える。また、表示装置１０２は、ディスプレイアダプタと、それに接続する液晶ディスプレイ、プラズマディスプレイ、又は、ＣＲＴ（Cathode Ray Tube）等により実現される。
【００２４】
主記憶装置１０３には、例えば、揮発性、あるいは、不揮発性の半導体記憶装置が用いられおり、この主記憶装置には、上記中央処理装置１０１により扱われるデータが一時的に記録されると共に、例えば、ハードディスク等から構成される補助記憶装置３０に格納されたプログラムなどがここにロードされる。
【００２５】
一方、チューナ部１０４は、通常のテレビジョン放送の選局及び復調などをおこなう。また、入力装置１０５は、例えば、テレビジョン装置１の動作を制御のためのフロントボタン、キーボード、マウス等、データを入力するための装置である。音声出力装置１０６は、例えば、サウンドカードとスピーカで構成され（上記図１の表示装置１１の両側に配置される）、放送、映像の音声を出力する。
【００２６】
ネットワークインタフェース部１０７は、上記ＩＰネットワーク４とのインタフェースを制御する部分である。また、リモコンインタフェース部１０８は、テレビジョン装置１の外部に設けられたリモートコントローラ（以下、「リモコン」）４０からの赤外線信号などを受信して、テレビジョン装置１の制御部とのインタフェースを制御する部分である。また、補助記憶装置インタフェース部１０９は、上記補助記憶装置１９とのインタフェースを制御する部分である。
【００２７】
なお、上記の構成において、上述した補助記憶装置１９は、例えば、（２００Ｇバイト）の大容量のハードディスクドライブであり、映像データなどを一時的、または、録画として長期間に亘って保存することが可能である。また、上述したように、上記中央処理装置１０１により実行される必要なプログラムも、ここに格納される。
【００２８】
更に、上記の要求映像配信再生が可能なテレビジョン装置１は、例えば、商用電源に接続されて所望の電力を装置に供給する電源２０と、そして、この電源２０を制御するための電源制御部２１とを有している。なお、この電源制御部２１は、上記中央処理装置１０１により、その動作が制御される。
【００２９】
次に、図３に示されるように、要求映像配信再生型テレビジョン装置１の機能として、まず、要求映像配信（ＶＯＤ）による映像を受信する場合には、ＩＰネットワーク制御部１００により、ＩＰネットワーク４から送信されてくるパケットの制御を実行する。そして、ＶＯＤ受信部１０１により、映像を受信し、ストリーミング再生部１０２によりストリーミングの再生をおこなう。これに対して、通常の放送映像を受信する場合には、チューナ部２００（上記図２の符号１０４）により、放送波による映像を再生する。
【００３０】
その後、ＴＳ  Ｂｕｆｆｅｒ／Ｓｗｉｔｃｈ部３００では、映像を選択し、ＤｅＭｕｘ部３０１で、ＭＰＥＧを分離し、そして、ＭＰＥＧデゴーダ部３０２によりデコードを行って表示装置に映像信号を出力する。なお、上記の説明では、ＭＰＥＧの場合を説明したが、例えば、Ｈ．２６４の規格によるデコーダを用いてもよい。また、上述した本発明になる要求映像配信再生が可能なテレビジョン装置１では、Ｗｅｂブラウザ４００により、要求映像配信（ＶＯＤ）を提供するポータルサイト（上記図１の符号３を参照）についても表示することができる。
【００３１】
続いて、上記に機能と構成を説明した本発明の一実施形態になる要求映像配信再生が可能なテレビジョン装置１における、電源の制御と、その際の表示画面の制御動作について、添付の図４〜図７を参照しながら詳細に説明する。
【００３２】
図４は、本発明の一実施形態になる要求映像配信再生が可能なテレビジョン装置１において、例えば、上記リモコン４０から「電源ＯＦＦ」の指示がされた場合の動作を示すフローチャートである。また、図５は、テレビジョン装置１の起動時において、表示画面を制御するときの動作を示すフローチャートである。なお、図４に示す電源制御のための電源制御プログラムは、上記図２に示した補助記憶装置３０に予め格納されており、必要に応じて、主記憶装置１３にロードされて中央処理装置１０１により実行される。また、図５に示す表示画面の制御を行う表示画面制御プログラムも、同様に、上記補助記憶装置３０に予め格納されており、必要に応じて、主記憶装置１３にロードされて中央処理装置１０１により実行される。
【００３３】
まず、図４に示すフローチャートに従って、視聴者が、上記図２に示すリモコン４０によって、「電源ＯＦＦ」の指示をした時の処理について説明する。
【００３４】
「電源ＯＦＦ」が指示されると、一連の処理が開始され、視聴者が視聴中の映像（即ち、表示装置に表示されている映像）が、通常の放送映像であるか、又は、要求映像配信（ＶＯＤ）による映像（ＶＯＤ映像）であるかを判定する（Ｓ４１）。その結果、通常の放送映像であると判定された場合、換言すれば、視聴者が電源ＯＦＦの指示をしたときに表示されている映像が、通常の放送映像のときには（図の「放送映像」）、電源ＯＦＦ時のチャネルや放送番組名や電源ＯＦＦされた時刻（電源ＯＦＦ時の状態）を不揮発性の主記憶装置１０３又は補助記憶装置３０に記憶し（Ｓ４２）、そして、図２に示される電源制御部２１に対して、電源ＯＦＦを指示し（Ｓ４３）、一連の処理を終了する。
【００３５】
なお、このようにするのは、通常の放送映像の場合には、無料で提供されていることから、「電源ＯＦＦ」の指示を検知した時、直ちに、電源をＯＦＦしても問題ないと考えられることによる。
【００３６】
これに対して、要求映像配信（ＶＯＤ）の場合は、有償で番組の提供を受けることが多いことが想定されるため、直ちに電源をＯＦＦした場合には、上述したように、視聴者（ユーザ）は、思わぬ不利益を被ることになる。そこで、本発明では、かかる場合には、通常の放送映像の場合とは異なり、直ちに電源をＯＦＦすることなく、以下に述べる所定の条件を満たした場合に、電源のＯＦＦを実行するものである。
【００３７】
即ち、上記の判定Ｓ４１の結果、「ＶＯＤ映像」と判定、即ち、視聴者が電源ＯＦＦの指示をしたときに表示されている映像が、要求映像配信（ＶＯＤ）の映像であると判断された場合は、「電源ＯＦＦ」の指示回数「ｎ」をインクリメントし、その回数「ｎ」と指示された時刻「ｔ」とを、例えば、主記憶装置１０３に記憶しておく（Ｓ４４）。そして、当該インクリメントされた指示回数「ｎ」が、予め設定された値「Ｔ」（例えば、本例ではＮ＝２回）以上であるか否か（ｎ≧Ｎ）を判定する（Ｓ４５）。その結果、電源ＯＦＦの指示の回数「ｎ」が「Ｎ（＝２回）」以下、本例では指示回数「ｎ」が２回に満たない場合には、そのまま、処理を終了する。即ち、表示中の映像が「ＶＯＤ映像」の場合には、直ちに電源のＯＦＦを実行しない。
【００３８】
一方、上記の判定Ｓ４５の結果、電源ＯＦＦの指示の回数「ｎ」が「Ｎ＝２回」以上の場合には、更に、前の電源ＯＦＦの指示の時刻「ｔｎ−１」から所定の時間が経過しているか否かを判断する（Ｓ４６）。即ち、前の電源ＯＦＦの指示の時、上記ステップＳ４４において記憶した時刻「ｔｎ−１」から今回の電源ＯＦＦの指示の時刻「ｔｎ」までの経過時間を算出し、この経過時間が所定の時間「Ｔ」以上であるか否かを判定する。なお、この所定の時間は、例えば、標準値として３０秒程度に設定されており、そして、この値は、必要に応じ、ユーザが自在に所望の値に設定出来るようにすることが望ましい。なお、この判定Ｓ４６の結果、前の電源ＯＦＦの指示の時刻「ｔｎ−１」から、既に、所定の時間「Ｔ」が経過している（Ｙ）と判断された場合には、そのまま、処理を終了する。即ち、表示中の映像が「ＶＯＤ映像」の場合、所定の時間が経過した場合には、電源ＯＦＦの指示を検知したにもかかわらず、直ちに電源のＯＦＦを実行しない。
【００３９】
一方、上記の判定Ｓ４６の結果、未だ所定の時間が経過していない場合には、ＶＯＤ視聴中に電源ＯＦＦをするか否かを視聴者に問い合わせる警告メッセージが表示された画面を表示する（Ｓ４７）。
【００４０】
図６は、ＶＯＤ視聴中に電源ＯＦＦの指示がされたときの警告画面を示す図である。
【００４１】
結局、視聴者は、所定の時間内に複数回、電源ＯＦＦの指示をしたときに、電源ＯＦＦをすることができる。これは、ＶＯＤの視聴中の誤操作によって電源ＯＦＦされることを避け、慎重を期すためである。
【００４２】
視聴者が「はい」ボタンを押下したときには（Ｓ４８）、警告メッセージの画面を消去して（Ｓ５１）、電源ＯＦＦ時の状態（ＶＯＤ）と電源ＯＦＦされた時刻を不揮発性の主記憶装置１３か補助記憶装置３０に記憶する（Ｓ４２）。
【００４３】
そして、図２に示される電源制御部２１に対して、電源ＯＦＦを指示し（Ｓ４３）、終了する。
【００４４】
視聴者が「いいえ」ボタンを押下したときには（Ｓ４９）、警告メッセージの画面を消去して（Ｓ５２）、処理を終了する。すなわち、視聴中のＶＯＤ映像の再生を継続する。
【００４５】
また、いずれかのボタンも押下されずに、一定の時間が経過したときも、警告メッセージの画面を消去して（Ｓ５２）、処理を終了する。
【００４６】
なお、ステップＳ４５において、電源ＯＦＦの指示の回数「ｎ」が「Ｎ（＝２回）」以下、本例では指示回数「ｎ」が２回に満たない場合に、ＶＯＤ視聴中に電源ＯＦＦをするか否かを視聴者に問い合わせる警告メッセージが表示された画面を表示するようにしても構わない。
【００４７】
また、本実施形態では、電源ボタンについて述べたが、電源ボタンに限らず、視聴中のＶＯＤが中断されたり、あるいはＶＯＤ画面から別の表示画面に遷移してしまうような操作を伴うボタンが押された場合についても、同様の処理を実行することが可能である。
【００４８】
次に、図５に示すフローチャートに従って、起動時の表示画面を制御するときの処理について説明する。
【００４９】
起動されたときに、Ｓ１０で記憶された前の電源ＯＦＦ時の状態を取り出す（Ｓ６０）。
【００５０】
前の電源ＯＦＦ時の状態が、放送映像を視聴中のときには、放送映像を表示する（Ｓ６１）。
【００５１】
前の電源ＯＦＦ時の状態が、ＶＯＤ映像を視聴中のときには、前の電源ＯＦＦ時から規定時間経過しているか否かを判断する（Ｓ６２）。図５において、ｔｐは、現在の時刻、ｔＯＦＦは、電源ＯＦＦされた時刻、Ｔｒは、規定の時間である。この規定時間Ｔｒは、標準で例えば、２４時間としておき、視聴者のニーズに従って、ユーザ設定できるようにしておくことが望ましい。
【００５２】
このようにするのは、視聴者は時間がたたないときには、前に視聴したＶＯＤ映像を見たいと思っていることが比較的多いが、時間がたつにつれて、そのＶＯＤ映像に対する興味を失うことが想定されるからである。
【００５３】
前の電源ＯＦＦ時から規定時間経過しているときには（ｔｐ−ｔＯＦＦ≧ＴｒがＹＥＳ）、放送映像を表示する（Ｓ６９）。
【００５４】
前の電源ＯＦＦ時から規定時間経過していないときには（ｔｐ−ｔＯＦＦ≧ＴｒがＮＯ）、図７に示される視聴中のＶＯＤ映像がある旨を知らせて、視聴するか問合せる画面を表示する（Ｓ６３）。
【００５５】
図７は、視聴中のＶＯＤ映像があることを視聴者に知らせて、視聴するか否かを問合せる画面を示す図である。
【００５６】
視聴者が「はい」ボタンを押下したときには（Ｓ６４）、問合せ画面を消去して（Ｓ６７）、ＶＯＤ映像を表示する（Ｓ７０）。
【００５７】
視聴者が「いいえ」ボタンを押下したときには（Ｓ６５）、問合せ画面を消去して（Ｓ６８）、放送映像を表示する（Ｓ６９）。
【００５８】
また、いずれかのボタンも押下されずに、一定の時間経過したときも（Ｓ６６）、問合せ画面を消去して（Ｓ６８）、放送映像を表示する（Ｓ６９）。
【００５９】
なお、ステップＳ６２において、前の電源ＯＦＦ時から規定時間経過していないと判断された際に、ステップＳ６３、すなわち図７に示したユーザに対して視聴するか問合せる画面を表示することなく、前回視聴していたＶＯＤ映像の再生指示画面を直ちに表示するようにしても構わない。
【００６０】
また、特に、フローチャートとしては示さなかったが、視聴者が放送映像を視聴中に、リモコンで、テレビのチャンネルをすばやく変えたりするときに（いわゆる、ザッピング、Zapping）、その間隔を計測しておき、一定時間内にチャンネルが何回も切り替えられていると判断したときに、図７の視聴中のＶＯＤ映像があることを視聴者に知らせて、視聴するか否かを問合せる画面を表示するようにしてもよい。
【００６１】
このためには、図２のチューナ部１４の選局部の中に、チャンネルの切り替え間隔を計測する機能を設けておく必要がある。
【００６２】
なお、本実施形態では、主にテレビジョン装置について述べてきたが、これに限るものではなく、例えば、映像を受信してテレビジョン装置に出力することが可能なセットトップボックスにおいて本実施例を実行するようにしてもよい。その場合には、テレビジョン装置における表示手段を、例えば、テレビジョン装置に対して映像を出力するための映像出力手段とすることで、同様の効果を得ることができる。
【図面の簡単な説明】
【００６３】
【図１】本発明の一実施形態に係る要求映像配信再生型テレビジョン装置に関するシステム構成図である。
【図２】本発明の一実施形態に係る要求映像配信再生型テレビジョン装置１のハードウェア構成図である。
【図３】本発明の一実施形態に係る要求映像配信再生型テレビジョン装置１の機能を表すブロック図である。
【図４】本発明の一実施形態に係る要求映像配信再生型テレビジョン装置１に電源ＯＦＦの指示がされたときの動作を示すフローチャートである。
【図５】本発明の一実施形態に係る要求映像配信再生型テレビジョン装置１の起動時の表示画面を制御するときの動作を示すフローチャートである。
【図６】ＶＯＤ視聴中に電源ＯＦＦの指示がされたときの警告画面を示す図である。
【図７】視聴中のＶＯＤ映像があることを視聴者に知らせて、視聴するか否かを問合せる画面を示す図である。
【図１】
2008113232.tif 000003
【図２】
2008113232.tif 000004
【図３】
2008113232.tif 000005
【図４】
2008113232.tif 000006
【図５】
2008113232.tif 000007
【図６】
2008113232.tif 000008
【図７】
2008113232.tif 000009